(57)【要約】【課題】建物の上部構造の浮き上がりを許容するようにした建物の基礎構造において、その施工性を大幅に向上させる。【解決手段】杭１２とフーチング１４とを備えた杭基礎１０である。現場打ちコンクリート杭１２の杭頭に、嵌合凸部１８が形成されたプレキャスト・コンクリート（ＰＣ）製の嵌合部材２２が接合されている。一方、現場打ちコンクリート造のフーチング１４の下面の杭１２の杭頭に対応する位置に、嵌合凹部２０が形成されたＰＣ製の嵌合部材２４が接合されている。嵌合凸部１８と嵌合凹部２０とが嵌合することで、杭とフーチングとの間の相対的な水平方向の変位が阻止される一方で、建物に所定大きさ以上の転倒モーメントが作用したときには、嵌合凹部２０と嵌合凸部１８とが離れることで、フーチングが杭の杭頭から浮き上がることができる。【選択図】図１
2005256546.tif 000002
【特許請求の範囲】
【請求項１】
杭と該杭に支持されたフーチングとを備えた建物の基礎構造であって、前記杭の杭頭上面と前記フーチングの下面との一方に嵌合凸部を、他方に嵌合凹部を設け、前記嵌合凸部と前記嵌合凹部とが嵌合することで、前記杭と前記フーチングとの間の相対的な水平方向の変位が阻止される一方で、前記建物に所定大きさ以上の転倒モーメントが作用したときには、前記嵌合凹部と前記嵌合凸部とが離れることで、前記フーチングが前記杭の杭頭から浮き上がれるようにした建物の基礎構造において、
前記杭は現場打ちコンクリート杭であり、該杭の杭頭にプレキャスト・コンクリート（ＰＣ）製の嵌合部材である杭頭側ＰＣ製嵌合部材が接合されており、
前記フーチングは現場打ちコンクリート造のフーチングであり、該フーチングの下面の前記杭の杭頭に対応する位置にＰＣ製の嵌合部材であるフーチング側ＰＣ製嵌合部材が接合されており、
前記杭頭側ＰＣ製嵌合部材と前記フーチング側ＰＣ製嵌合部材との一方に前記嵌合凸部が形成され、他方に前記嵌合凹部が形成されている、
ことを特徴とする建物の基礎構造。
【請求項２】
前記フーチング側ＰＣ製嵌合部材は、その上面から上方へ鉄筋が延出しており、該鉄筋が前記フーチングの現場打ちコンクリート部に定着されることで、該フーチング側ＰＣ製嵌合部材と前記フーチングの現場打ちコンクリート部とが接合されており、
前記フーチング側ＰＣ製嵌合部材は、その上面に、該フーチング側ＰＣ製嵌合部材と前記フーチングの現場打ちコンクリート部との間で水平方向剪断力を伝達するためのシアコッターを備えている、
ことを特徴とする請求項１記載の建物の基礎構造。
【請求項３】
前記杭頭側ＰＣ製嵌合部材に前記嵌合凸部が形成され、前記フーチング側ＰＣ製嵌合部材に前記嵌合凹部が形成されており、
前記杭の杭主筋の上端部はねじ鉄筋で構成されており、
前記杭頭側ＰＣ製嵌合部材には、前記ねじ鉄筋を挿通する孔が形成されており、前記ねじ鉄筋に螺合するロックナットで前記杭頭側ＰＣ製嵌合部材を前記杭の現場打ちコンクリート部に締結することで、該杭頭側ＰＣ製嵌合部材と前記杭の現場打ちコンクリート部とが接合されており、
前記杭頭側ＰＣ製嵌合部材は、その下面に、該杭頭側ＰＣ製嵌合部材と前記杭の現場打ちコンクリート部との間で水平方向剪断力を伝達するためのシアコッターを備えている、
ことを特徴とする請求項１又は２記載の建物の基礎構造。
【請求項４】
前記杭頭側ＰＣ製嵌合部材に前記嵌合凹部が形成され、前記フーチング側ＰＣ製嵌合部材に前記嵌合凸部が形成されており、
前記杭頭側ＰＣ製嵌合部材には、前記杭の杭主筋の上端部を収容する穴部が形成されており、該穴部に無収縮モルタルを注入することで、前記杭頭側ＰＣ製嵌合部材と前記杭の現場打ちコンクリート部とが接合されており、
前記杭頭側ＰＣ製嵌合部材は、その下面に、該杭頭側ＰＣ製嵌合部材と前記杭の現場打ちコンクリート部との間で水平方向剪断力を伝達するためのシアコッターを備えている、
ことを特徴とする請求項１又は２記載の建物の基礎構造。
【請求項５】
前記杭頭側ＰＣ製嵌合部材と前記フーチング側ＰＣ製嵌合部材との間にゴム材が介装されていることを特徴とする請求項１記載の建物の基礎構造。
【請求項６】
前記杭頭側ＰＣ製嵌合部材の少なくとも上面と、前記フーチング側ＰＣ製嵌合部材の少なくとも下面とが、夫々鋼板で覆われていることを特徴とする請求項１記載の建物の基礎構造。
【請求項７】
前記杭頭側ＰＣ製嵌合部材に前記嵌合凸部が形成され、前記フーチング側ＰＣ製嵌合部材に前記嵌合凹部が形成されており、
前記杭頭側ＰＣ製嵌合部材の上面のうち、前記嵌合凸部を除いた部分が鋼板で覆われていることを特徴とする請求項１記載の建物の基礎構造。
【請求項８】
前記杭頭側ＰＣ製嵌合部材に前記嵌合凹部が形成され、前記フーチング側ＰＣ製嵌合部材に前記嵌合凸部が形成されており、
前記フーチング側ＰＣ製嵌合部材の下面のうち、前記嵌合凸部を除いた部分が鋼板で覆われていることを特徴とする請求項１記載の建物の基礎構造。
【請求項９】
杭と該杭に支持されたフーチングとを備えた建物の基礎構造であって、前記杭の杭頭上面と前記フーチングの下面との一方に嵌合凸部を、他方に嵌合凹部を設け、前記嵌合凸部と前記嵌合凹部とが嵌合することで、前記杭と前記フーチングとの間の相対的な水平方向の変位が阻止される一方で、前記建物に所定大きさ以上の転倒モーメントが作用したときには、前記嵌合凹部と前記嵌合凸部とが離れることで、前記フーチングが前記杭の杭頭から浮き上がれるようにした建物の基礎構造の構築方法において、
前記嵌合凸部と前記嵌合凹部との一方が形成された前記杭の杭頭に接合するためのプレキャスト・コンクリート（ＰＣ）製の嵌合部材である杭頭側ＰＣ製嵌合部材を製作し、
前記嵌合凸部と前記嵌合凹部との他方が形成された前記フーチングの下面に接合するためのＰＣ製の嵌合部材であるフーチング側ＰＣ製嵌合部材を製作し、
前記杭を現場打ちコンクリート杭として構築し、その際に該杭の杭頭に前記杭頭側ＰＣ製嵌合部材を接合し、
前記杭頭側ＰＣ製嵌合部材の上面に、前記フーチング側ＰＣ製嵌合部材を嵌合させ、
前記フーチングを現場打ちコンクリート造のフーチングとして構築し、その際に該フーチングの下面に前記フーチング側ＰＣ製嵌合部材を接合する、
ことを特徴とする建物の基礎構造の構築方法。
【発明の詳細な説明】
【技術分野】
【０００１】
本発明は、建物の基礎構造及びその構築方法に関する。より詳しくは、本発明は、建物の上部構造の浮き上がりを許容することによって、地震時に建物が受けるエネルギを低減するようにした建物の基礎構造及びその構築方法に関する。
【背景技術】
【０００２】
地震発生時に建物の基礎に水平方向の加速度が加わると、建物に転倒モーメントが作用する。水平方向の加速度が大きく、建物のアスペクト比（幅に対する高さの比）も大きい場合には、転倒モーメントによって建物の一側が浮き上がろうとする。その結果、例えば杭基礎を採用している建物の場合、建物の浮き上がり側では杭を引き抜こうとする引張荷重が杭に作用し、その反対側では杭を押し込もうとする圧縮荷重が増大する。これらの荷重に耐えられるだけの十分な強度を備えた基礎構造を構築するためには、それ相応のコストが必要であるが、近年、アスペクト比の大きな高層建物が次々と出現するようになったことから、そのコストの増大が著しかった。
【０００３】
そのため、通常は杭頭に固定連結するフーチングを杭頭から縁切りして、大きな転倒モーメントが作用したときには、フーチングより上の建物上部構造が、杭頭から浮き上がれるようにした建物の基礎構造が提案されている。
【０００４】
例えば特開２００３−１２９４９８号公報には、杭とフーチングとの間を、せん断抵抗用の鋼管を介して接合することで、杭とフーチングとの縁を切った建物の基礎構造が開示されており、この基礎構造では、浮き上がった建物上部構造が着座する際の衝撃を緩和するために、緩衝材を杭とフーチングとの間に敷設している。
また、特開２０００−２４０３１５号公報には、柱脚で浮き上がりを発生させて、エネルギ吸収装置で浮き上がり後の建物応答の低減を図るようにした建物の基礎構造が開示されており、この基礎構造では、着座時の衝撃を緩和するための緩衝材や、変位を制御するための復元部材を浮き上がり部分に介装している。
また、特開２００１−１１５６８３号公報には、建物上部構造の鋼管柱と、建物下部構造である基礎のフーチングに埋め込んだ鋼管との間隙に、ダンパを介装した構造が開示されている。
【特許文献１】特開２０００−２４０３１５号公報
【特許文献２】特開２００１−１１５６８３号公報
【特許文献３】特開２００３−１２９４９８号公報
【発明の開示】
【発明が解決しようとする課題】
【０００５】
しかしながら、これら特許文献に開示されているものをはじめとする、従来提案されていた上部構造の浮き上がりを許容するようにした基礎構造には、浮き上がり部を製作するために複雑で面倒な作業を強いられるという、施工性に関する難点があった。
例えば、杭頭とフーチング下部とに夫々設けられる円錐台形状ないし多角錐台形状のコンクリート製の嵌合部を、現場において施工する場合、コンクリート型枠を製作するために複雑な作業を必要とし、また、細部へのコンクリートの充填が困難であるという問題が存在していた。
本発明は、かかる事情に鑑み成されたものであり、本発明の目的は、建物の上部構造の浮き上がりを許容するようにした建物の基礎構造において、その施工性を大幅に向上させることにある。
【課題を解決するための手段】
【０００６】
上記目的を達成するため、本発明に係る建物の基礎構造は、杭と該杭に支持されたフーチングとを備えた建物の基礎構造であって、前記杭の杭頭上面と前記フーチングの下面との一方に嵌合凸部を、他方に嵌合凹部を設け、前記嵌合凸部と前記嵌合凹部とが嵌合することで、前記杭と前記フーチングとの間の相対的な水平方向の変位が阻止される一方で、前記建物に所定大きさ以上の転倒モーメントが作用したときには、前記嵌合凹部と前記嵌合凸部とが離れることで、前記フーチングが前記杭の杭頭から浮き上がれるようにした建物の基礎構造において、前記杭は現場打ちコンクリート杭であり、該杭の杭頭にプレキャスト・コンクリート（ＰＣ）製の嵌合部材が接合されており、前記フーチングは現場打ちコンクリート造のフーチングであり、該フーチングの下面の前記杭の杭頭に対応する位置にＰＣ製の嵌合部材が接合されており、前記杭頭側ＰＣ製嵌合部材と前記フーチング側ＰＣ製嵌合部材との一方に前記嵌合凸部が形成され、他方に前記嵌合凹部が形成されていることを特徴とする。
【０００７】
また、本発明に係る建物の基礎構造の構築方法は、杭と該杭に支持されたフーチングとを備えた建物の基礎構造であって、前記杭の杭頭上面と前記フーチングの下面との一方に嵌合凸部を、他方に嵌合凹部を設け、前記嵌合凸部と前記嵌合凹部とが嵌合することで、前記杭と前記フーチングとの間の相対的な水平方向の変位が阻止される一方で、前記建物に所定大きさ以上の転倒モーメントが作用したときには、前記嵌合凹部と前記嵌合凸部とが離れることで、前記フーチングが前記杭の杭頭から浮き上がれるようにした建物の基礎構造の構築方法において、前記嵌合凸部と前記嵌合凹部との一方が形成された前記杭の杭頭に接合するためのプレキャスト・コンクリート（ＰＣ）製の嵌合部材である杭頭側ＰＣ製嵌合部材を製作し、前記嵌合凸部と前記嵌合凹部との他方が形成された前記フーチングの下面に接合するためのＰＣ製の嵌合部材であるフーチング側ＰＣ製嵌合部材を製作し、前記杭を現場打ちコンクリート杭として構築し、その際に該杭の杭頭に前記杭頭側ＰＣ製嵌合部材を接合し、前記杭頭側ＰＣ製嵌合部材の上面に、前記フーチング側ＰＣ製嵌合部材を嵌合させ、前記フーチングを現場打ちコンクリート造のフーチングとして構築し、その際に該フーチングの下面に前記フーチング側ＰＣ製嵌合部材を接合することを特徴とする。
【発明の効果】
【０００８】
本発明によれば、嵌合凸部が形成されたＰＣ製嵌合部材と、嵌合凹部が形成されたＰＣ製嵌合部材とを予め工場などで製作しておき、それらＰＣ製嵌合部材を、現場打ちコンクリート杭の杭頭及びフーチングの下面に接合することで、建物の上部構造の浮き上がりを許容する基礎構造を構築することができる。そのため、型枠作成などの現場作業が大幅に容易化されるとともに、嵌合凸部及び嵌合凹部の寸法精度も向上する。
【０００９】
以下に本発明の実施の形態について添付図面を参照して説明する。図１は本発明の第１の実施の形態にかかる建物の基礎構造を採用した基礎の側面図、図２は図１の基礎に使用しているフーチング側ＰＣ製嵌合部材及び杭頭側ＰＣ製嵌合部材の斜視図である。
【００１０】
図１及び図２に示した本発明の第１の実施の形態にかかる建物の基礎構造を採用した基礎１０は、鉄筋コンクリート杭１２と、この杭１２に支持された鉄筋コンクリート造のフーチング１４とを備えた、いわゆる杭基礎である。ただし、通常の杭基礎のように杭頭とフーチングとが固定連結されておらず、杭１２の杭頭とフーチング１４とは縁切りされている。
【００１１】
図１から明らかなように、杭１２の杭頭上面には嵌合凸部１８を設け、フーチング１４の下面には嵌合凹部２０を設けてあり、それら嵌合凸部１８と嵌合凹部２０とが嵌合することで、杭１２とフーチング１４との間の相対的な水平方向の変位が阻止されるようにしてある。一方、地震発生時に地盤から建物に水平方向の加速度が加わり、それによって建物に、その建物の設計に応じて定まる所定の大きさ以上の転倒モーメントが作用したときには、建物の浮き上がり側において、嵌合凸部１８と嵌合凹部２０とが離れることで、フーチング１４が杭１２の杭頭から浮き上がれるようにしてある。
【００１２】
杭１２は、現場打ちコンクリート杭である。この杭１２の杭頭に、工場で製作したプレキャスト・コンクリート（ＰＣ）製の嵌合部材である杭頭側ＰＣ製嵌合部材２２が接合されており、上述した嵌合凸部１８は、この杭頭側ＰＣ製嵌合部材２２の上面に形成されている。
【００１３】
フーチング１４は、現場打ちコンクリート造のフーチングである。このフーチング１４の下面の杭１２の杭頭に対応する位置に、工場で製作したＰＣ製の嵌合部材であるフーチング側ＰＣ製嵌合部材２４が接合されており、上述した嵌合凹部２０は、このフーチング側ＰＣ製嵌合部材２４の下面に形成されている。
【００１４】
図２に示したように、杭頭側ＰＣ製嵌合部材２２に形成した嵌合凸部１８は、中心軸が上下方向に延在する円錐台の形状としてあり、一方、フーチング側ＰＣ製嵌合部材２４に形成した嵌合凹部２０は、図２では隠れていて見えないが、嵌合凸部１８の形状に対応した、中心軸が上下方向に延在する円錐台の形状としてある。ただし、嵌合凸部１８及び嵌合凹部２０の形状は、円錐台の形状に限られるものではなく、中心軸が上下方向に延在する多角錐台の形状としてもよく、例えば六角錐台や八角錐台などの形状とするのもよい。また、更にその他の形状とすることも可能である。
【００１５】
フーチング側ＰＣ製嵌合部材２４は、その上面から上方へ鉄筋２６が延出しており、それら鉄筋２６が、フーチング１４の現場打ちコンクリート部２８に定着されることによって、フーチング側ＰＣ製嵌合部材２４とフーチング１４の現場打ちコンクリート部２８とが接合されている。また、フーチング側ＰＣ製嵌合部材２４は、その上面に、このフーチング側ＰＣ製嵌合部材２４とフーチング１４の現場打ちコンクリート部２８との間で水平方向剪断力を伝達するためのシアコッター３０を備えている。図示例のシアコッター３０は、図２から明らかなように、角形の周溝を二重に形成した形状としてあるが、ただしこの形状に限られるものではなく、例えば複数の凹部ないし凸部を行列状に並べた形状などをはじめとする、様々な形状とすることができる。また、図示例の鉄筋２６は、フーチング側ＰＣ製嵌合部材２４の外周に沿って配設してあるが、フーチング側ＰＣ製嵌合部材２４と現場打ちコンクリート部２８とを更に堅固に接合する必要がある場合には、シアコッター３０の部分からも、接合用の鉄筋を上方へ延出させるようにするとよい。
【００１６】
杭１２の杭主筋３２は、その上端部はねじ鉄筋で構成されており、杭頭側ＰＣ製嵌合部材２４には、そのねじ鉄筋を挿通する孔が形成されている。そして、そのねじ鉄筋に螺合するロックナット（不図示）で、杭頭側ＰＣ製嵌合部材２４を、杭１２の現場打ちコンクリート部３８に締結することによって、この杭頭側ＰＣ製嵌合部材２４と杭１２の現場打ちコンクリート部３８とが接合されている。また、杭頭側ＰＣ製嵌合部材２２は、その下面に、この杭頭側ＰＣ製嵌合部材２２と杭１２の現場打ちコンクリート部３８との間で水平方向剪断力を伝達するためのシアコッター４０を備えている。フーチング側ＰＣ製嵌合部材２４のシアコッター３０と同様に、このシアコッター４０も様々な形状とすることができる。尚、フーチング側ＰＣ製嵌合部材２４の接合構造と同様に、杭頭側ＰＣ製嵌合部材２２の下面から下方へ鉄筋を延出させて、それら鉄筋が杭１２の現場打ちコンクリート部３８に定着されることで、杭頭側ＰＣ製嵌合部材２２と杭１２の現場打ちコンクリート部３８とが定着される構造としてもよい。その場合に、それら鉄筋は、杭頭側ＰＣ製嵌合部材２２の外周部に配設するようにしてもよく、また、接合を更に堅固にする必要があるならば、シアコッター４０の部分からも、下方へ延出させるようにするとよい。
【００１７】
杭頭側ＰＣ製嵌合部材２２の上面には、ドーナツ形の鋼板４２が装着されており、そのため、図１に示すように、杭頭側ＰＣ製嵌合部材２２の上面のうち、嵌合凸部１８を除いた部分が鋼板４２で覆われている。この鋼板４２は、杭頭側ＰＣ製嵌合部材２２のコンクリート部に強固に付着させてあり、杭１２の現場打ちコンクリート部３８と嵌合凸部１８との間で水平方向剪断力を良好に伝達させるのに役立っている。この鋼板４２を備えることで、杭頭側ＰＣ製嵌合部材２２の周縁部を比較的薄くしても十分な強度が得られることから、図１に示した実施の形態では、杭頭側ＰＣ製嵌合部材２２それ自体が薄型化されており、製作コスト及び輸送コストの点で有利となっている。鋼板４２は更に、地震時に浮き上がったフーチング１４が杭１２の杭頭に着座する際の衝撃によって、杭頭が損傷するのを防止するのにも役立っている。鋼板４２は、工場で杭頭側ＰＣ製嵌合部材２２を作成する際に、杭頭側ＰＣ製嵌合部材２２に一体に設けられるものである。
【００１８】
杭頭側ＰＣ製嵌合部材２２とフーチング側ＰＣ製嵌合部材２４との間には、ゴム材４４が介装されている。このゴム材４４は、杭頭側ＰＣ製嵌合部材２２の表面に貼着するようにしてもよく、フーチング側ＰＣ製嵌合部材２４の表面に貼着するようにしてもよい。また、ゴム材４４を２層構造として、その各層を、杭頭側ＰＣ製嵌合部材２２の表面とフーチング側ＰＣ製嵌合部材２４の表面とに貼着するようにしてもよい。ゴム材４４は、地震時に浮き上がったフーチング１４が杭１２の杭頭に着座する際の衝撃を吸収する緩衝材として機能するものであるが、そればかりでなく、嵌合凸部１８と嵌合凹部２０との間の密着性も高めており、また更に、寒暖によりフーチング１４が収縮及び膨張する際に生じる水平方向の寸法変動を吸収して、列設されている全ての杭１２において、嵌合凸部１８と嵌合凹部２０とが適切に嵌合できるようにする機能も果たすものである。尚、ゴム材４４の材料としては、各種のゴム系材料が使用できる他に、ゴム系材料と同様の特性を有する様々な材料も使用することができ、そのような材料で形成されたものも、本発明を実施する上ではゴム材と見なされる。
【００１９】
図１に示した基礎を構築するには、先ず、工場において、杭１２の杭頭に接合するための杭頭側ＰＣ製嵌合部材２２と、フーチング１４の下面に接合するためのフーチング側ＰＣ製嵌合部材２４とを製作して、現場へ搬送しておく。現場では、杭１２を現場打ちコンクリート杭として構築し、その際に、その杭１２の杭頭に、上述した接合方法で杭頭側ＰＣ製嵌合部材２２を接合する。続いて、杭頭側ＰＣ製嵌合部材２２の上面に、フーチング側ＰＣ製嵌合部材２４を嵌合させる。この後、フーチング１４を現場打ちコンクリート造のフーチングとして構築し、その際に、そのフーチング１４の下面に、上述した接合方法でフーチング側ＰＣ製嵌合部材２４を接合する。この基礎の構築方法によれば、フーチング底部及び杭頭部をＰＣ化して工場で製作できるようにしたため、現場での型枠作成の作業が大幅に容易化されることをはじめとして、現場での様々な細かい作業が低減され、従って施工効率が大いに向上する。
【００２０】
次に、本発明の第２〜第４の実施の形態に係る基礎構造について説明する。図３は本発明の第２の実施の形態にかかる建物の基礎構造を採用した基礎の側面図、図４は本発明の第３の実施の形態にかかる建物の基礎構造を採用した基礎の側面図、図５は本発明の第４の実施の形態にかかる建物の基礎構造を採用した基礎の側面図である。
【００２１】
本発明の第２〜第４の実施の形態に係る基礎構造を採用した基礎は、図１及び図２に示した本発明の第１の実施の形態に係る基礎構造を採用した基礎と多くの点において同一構成となっている。そこで、以下の説明においては、重複を回避するために、同一構成部分についての説明は省略するか、或いは簡単なものにとどめ、相違点に重点を置いて説明することにする。
【００２２】
図３に示した本発明の第２の実施の形態に係る基礎構造を採用した基礎３１０は、杭頭側ＰＣ製嵌合部材３２２に嵌合凹部を形成し、フーチング側ＰＣ製嵌合部材３２４に嵌合凸部を形成したものである。杭頭側ＰＣ製嵌合部材３２２には、杭１２の杭主筋３３２の上端部を収容する穴部が形成されており、この穴部に無収縮モルタルを注入することで、杭頭側ＰＣ製嵌合部材３２２と、杭１２の現場打ちコンクリート部３８とが接合されている。杭頭側ＰＣ製嵌合部材３２２は、その下面に、この杭頭側ＰＣ製嵌合部材３２２と杭１２の現場打ちコンクリート部３８との間で水平方向剪断力を伝達するためのシアコッターを備えており、杭頭側ＰＣ製嵌合部材３２２とフーチング側ＰＣ製嵌合部材３２４との間には、ゴム材が介装されている。一方、フーチング側ＰＣ製嵌合部材３２４と、フーチング１４の現場打ちコンクリート部２３とは、図１の実施の形態と同様に、フーチング側ＰＣ製嵌合部材３２４から延出した鉄筋を介して接合されており、フーチング側ＰＣ製嵌合部材３２４の上面にシアコッターを備えている点も図１の実施の形態と同様である。
【００２３】
図３の基礎３１０に使用している杭頭側ＰＣ製嵌合部材３２２は、嵌合凹部が形成されていることから、図１の杭頭側ＰＣ製嵌合部材２２よりも厚く形成されており、その厚さを利用して、無収縮モルタルの注入という接合方法が採用されている。一方、図３の基礎３１０のフーチング側ＰＣ製嵌合部材３２４は、その周縁部の厚さが、図１のフーチング側ＰＣ製嵌合部材２４よりも薄く形成されている。そこで、もし必要であれば、図１の杭頭側ＰＣ製嵌合部材２２の上面に装着されているドーナツ形の鋼板４２と同様の鋼板を、フーチング側ＰＣ製嵌合部材３２４の下面に装着するようにしてもよい。そのようにした場合には、フーチング側ＰＣ製嵌合部材３２４の下面のうち、嵌合凸部１８を除いた部分が鋼板で覆われることになる。これによって、図１の鋼板４２によって得られる効果と同じの効果が得られる。
【００２４】
図４の基礎４１０は、図１の基礎１０とよく似た構成であるが、杭頭側ＰＣ製嵌合部材４２２の上面が、嵌合凸部の部分までも含めて、鋼板製シェル４５２で覆われている点が異なっており、この鋼板製シェル４５２は更に、杭頭側ＰＣ製嵌合部材４２２の外周面も併せて覆っている。また、図４の基礎４１０では、フーチング側ＰＣ製嵌合部材４２４の下面が、嵌合凹部の部分までも含めて、鋼板製シェル４５４で覆われており、この鋼板製シェル４５４は更に、フーチング側ＰＣ製嵌合部材４２４の外周面も併せて覆っている。鋼板製シェル４５２及び４５４は、夫々、杭頭側ＰＣ製嵌合部材４２２及びフーチング側ＰＣ製嵌合部材４２４の強度を高める機能を果たすとともに、それら杭頭側ＰＣ製嵌合部材４２２及びフーチング側ＰＣ製嵌合部材４２４を製作する際の、ＰＣ用型枠の一部としての機能も果たすものである。尚、杭頭側ＰＣ製嵌合部材４２２ないしフーチング側ＰＣ製嵌合部材４２４の外周までは覆わず、その上面ないし下面だけを覆うような鋼板製シェルを使用する構成とすることも考えられる。図４の基礎において、杭頭側ＰＣ製嵌合部材４２２と杭１２の現場打ちコンクリート部３８との接合方法、並びに、フーチング側ＰＣ製嵌合部材４５４とフーチング１４の現場打ちコンクリート部２８との接合方法は、図１の基礎１０における接合方法と同じものである。
【００２５】
図５の基礎５１０は、図３の基礎３１０とよく似た構成であるが、図４の基礎４１０と同様に、杭頭側ＰＣ製嵌合部材５２２の上面及び外周面を覆う鋼板製シェル５５２と、フーチング側ＰＣ製嵌合部材５２４の下面及び外周面を覆う鋼板製シェル５５４とを備えている点が、図３の基礎３１０と異なっている。それら鋼板製シェル５５２及び５５４は、図４の鋼板製シェル４５２及び４５４と同じ機能を果たし、同じ効果をもたらすものである。図５の基礎において、杭頭側ＰＣ製嵌合部材５２２と杭１２の現場打ちコンクリート部３８との接合方法、並びに、フーチング側ＰＣ製嵌合部材５５４とフーチング１４の現場打ちコンクリート部２８との接合方法は、図３の基礎３１０における接合方法と同じものである。
【００２６】
以上に説明した実施の形態は数多くの特徴を備えたものであるが、本発明はそれら特徴の全てを備えたものに限定されず、それら特徴のうちの幾つかだけを備えたものも本発明に包含される。また、以上に説明した特徴を、以上に例示した組合せとは異なる組合せとして利用することも可能であり、本発明の範囲は、特許請求の範囲に記載により定められるものである。
【図面の簡単な説明】
【００２７】
【図１】本発明の第１の実施の形態にかかる建物の基礎構造を採用した基礎の側面図である。
【図２】図１の基礎に使用しているフーチング側ＰＣ製嵌合部材及び杭頭側ＰＣ製嵌合部材の斜視図である。
【図３】本発明の第２の実施の形態にかかる建物の基礎構造を採用した基礎の側面図である。
【図４】本発明の第３の実施の形態にかかる建物の基礎構造を採用した基礎の側面図である。
【図５】本発明の第４の実施の形態にかかる建物の基礎構造を採用した基礎の側面図である。
【符号の説明】
【００２８】
１０……基礎、１２……杭、１４……フーチング、１８……嵌合凸部、２０……嵌合凹部、２２……杭頭側ＰＣ製嵌合部材、２４……フーチング側ＰＣ製嵌合部材、２６……鉄筋、２８……現場打ちコンクリート部、３０……シアコッター、３２……杭主筋、３８……現場打ちコンクリート部、４０……シアコッター、４２……鋼板、４４……ゴム材、３１０……基礎、３２２……杭頭側ＰＣ製嵌合部材、３２４……フーチング側ＰＣ製嵌合部材、３３２……杭主筋、４１０……基礎、４２２……杭頭側ＰＣ製嵌合部材、４２４……フーチング側ＰＣ製嵌合部材、４５２……鋼板製シェル、４５４……鋼板製シェル、５１０……基礎、５２２……杭頭側ＰＣ製嵌合部材、５２４……フーチング側ＰＣ製嵌合部材、５５２……鋼板製シェル、５５４……鋼板製シェル。
【図１】
2005256546.tif 000003
【図２】
2005256546.tif 000004
【図３】
2005256546.tif 000005
【図４】
2005256546.tif 000006
【図５】
2005256546.tif 000007